(57)【要約】【課題】ソレノイドバルブのソレノイドを駆動する駆動回路（１０）と、駆動回路を制御する制御ユニット（２０）とを備える、ソレノイドバルブを制御するシステムが本明細書にて説明される。【解決手段】制御ユニットは、ソレノイドバルブの動作の間に、ソレノイドにおいて、開閉素子を第１位置から第２位置へと移動するための第１電流信号（Ｔ）であって、ソレノイドが接続される外部供給ネットワークにより生成される第１電流信号と、ソレノイドバルブの磁気素子における残留磁気の結果として、専ら生成される第２電流信号（Ｔ'）であって、前記開閉素子が依然として上記の第２位置にあるとき、活性化される第２電流信号とを生成するように構成される。【選択図】図２
2017089890.tif 000002
【特許請求の範囲】
【請求項１】
ソレノイドバルブ用の制御システムであって、前記ソレノイドバルブは、
ソレノイドと、
前記ソレノイドに関連付けられ、前記ソレノイドとの電磁相互作用の結果として可動な磁気素子と、
第１位置と第２位置との間で可動な開閉素子であって、バネにより前記第１位置に駆動され、前記磁気素子により前記第１位置から前記第２位置へ移動され得る開閉素子と
を有し、
前記制御システムは、
前記ソレノイドを駆動する駆動回路であって、供給ノードとグランドノードとの間において外部供給ネットワークに接続される駆動回路と、
前記駆動回路を制御する制御ユニットであって、前記ソレノイドバルブの操作において、
第１電流信号が、前記開閉素子を前記第１位置から前記第２位置へと移動するために、前記ソレノイドにおいて生成され、前記第１電流信号は、前記外部供給ネットワークにより生成され、
第２電流信号が、前記磁気素子における残留磁気の結果として、前記ソレノイドにおいて専ら生成される
ように、前記駆動回路を制御する制御ユニットと
を備え、
前記制御ユニットは、前記開閉素子が依然として前記第２位置にあるとき、前記第２電流信号が活性化されるように、前記駆動回路を制御する、
システム。
【請求項２】
前記制御ユニットは、少なくとも前記開閉素子が前記第１位置に到達するまで、前記第２電流信号が維持されるように、前記駆動回路を制御する、請求項１に記載のシステム。
【請求項３】
前記制御ユニットは、前記第１電流信号が終了してから予め設定された時間間隔を経過した後に、前記第２電流信号が生成されるように、前記駆動回路を制御する、請求項１又は２に記載のシステム。
【請求項４】
前記駆動回路は、第１スイッチを含み、前記第１スイッチは、前記ソレノイドに接続され、前記制御ユニットを介して、前記ソレノイドから前記グランドノードへの電流の通過が可能となる第１条件、及び、前記ソレノイドから前記グランドノードへの前記電流の通過が遮られる第２条件に駆動され得る、請求項１から３の何れか一項に記載のシステム。
【請求項５】
前記駆動回路は、第２スイッチを含み、前記第２スイッチは、前記ソレノイドに接続され、前記制御ユニットを介して、前記供給ノードから前記ソレノイドへの前記電流の通過が可能となる第１条件、及び、前記供給ノードから前記ソレノイドへの前記電流の通過が遮られる第２条件に駆動され得る、請求項４に記載のシステム。
【請求項６】
前記制御ユニットは、前記ソレノイドにおいて前記第１電流信号を生成するべく、前記第１及び前記第２スイッチを、それらのそれぞれの前記第１条件に駆動し、前記制御ユニットは、前記ソレノイドにおいて前記第２電流信号を生成するべく、前記第１スイッチを前記第１条件に駆動し、前記第２スイッチを前記第２条件に駆動する、請求項５に記載のシステム。
【請求項７】
前記制御ユニットは、前記第１及び前記第２スイッチに対してこれらのそれぞれの第１条件を仮定するべく、前記第１及び前記第２スイッチに制御信号を送信し、前記制御ユニットは、前記第１電流信号を生成するよう、前記第１スイッチ及び前記第２スイッチに、前記制御信号を同時に送信し、前記制御ユニットはさらに、続いて、前記第１及び前記第２スイッチの両方への前記制御信号の送信を中断し、予め設定された時間の後に、前記第２電流信号を生成するよう、前記第１スイッチのみに前記制御信号を再び送信する、請求項５又は６に記載のシステム。
【請求項８】
前記予め設定された時間は、２００μｓ以下である、請求項７に記載のシステム。
【請求項９】
前記制御ユニットは、
前記第１電流信号が、前記開閉素子を前記第１位置から前記第２位置へ移動するための第１電流レベルに到達した後に、前記開閉素子を前記第２位置に保持するための第２電流レベルを維持し、
前記第２電流信号は、前記開閉素子が前記第２位置から前記第１位置へ向かって移動し始める前に、少なくとも前記第２電流レベルの４０％に等しいレベルに到達している
ように、前記駆動回路を制御する、請求項１から８の何れか一項に記載のシステム。
【請求項１０】
ソレノイドバルブを制御する方法であって、前記ソレノイドバルブは、
ソレノイドと、
前記ソレノイドに関連付けられ、前記ソレノイドとの電磁相互作用の結果として可動な磁気素子と、
第１位置と第２位置との間で可動な開閉素子であって、バネにより前記第１位置に駆動され、前記磁気素子により前記第１位置から前記第２位置へ移動され得る開閉素子と
を有し、
前記方法は、制御システムを介して実装され、前記制御システムは、
前記ソレノイドを駆動する駆動回路であって、供給ノードとグランドノードとの間において外部供給ネットワークに接続される駆動回路と、
前記駆動回路を制御する制御ユニットと
を含み、
前記方法は、
前記開閉素子を前記第１位置から前記第２位置へと移動するために、前記ソレノイドにおいて第１電流信号を生成する段階であって、前記第１電流信号は前記外部供給ネットワークにより生成される、段階と、
前記磁気素子における残留磁気の結果として、前記ソレノイドにおいて、第２電流信号を専ら生成する段階と
を備え、
可動な前記開閉素子が依然として前記第２位置にあるとき、前記第２電流信号は活性化される、
方法。
【請求項１１】
前記第２電流信号は、少なくとも前記開閉素子が前記第１位置に到達するまで維持される、請求項１０に記載の方法。
【請求項１２】
前記第２電流信号を生成する前記段階の前に、前記供給ノードと前記ソレノイドとの間、及び前記ソレノイドと前記グランドノードとの間の前記電流の通過をそれぞれ遮る段階を備える請求項１０又は１１に記載の方法。
【請求項１３】
前記電流の通過を遮る前記段階は、２００μｓ以下の持続時間を有する、請求項１２に記載の方法。
【請求項１４】
前記第１電流信号は、前記開閉素子を前記第１位置から前記第２位置へと移動するための第１電流レベルに到達した後に、前記開閉素子を前記第２位置に保持するための第２電流レベルを維持し、前記第２電流信号は、前記開閉素子が前記第２位置から前記第１位置へ向かって移動し始める前に、少なくとも前記第２電流レベルの４０％に等しいレベルに到達している、請求項１０から１３の何れか一項に記載の方法。
【発明の詳細な説明】
【技術分野】
【０００１】
本発明は概して、ソレノイドバルブを制御するシステム、及びそのバルブを制御する対応方法に関する。
【背景技術】
【０００２】
当技術分野自体において既知のように、ソレノイドバルブは概して、ソレノイドと、ソレノイドに関連付けられ、上記のソレノイドとの電磁相互作用の結果として可動な磁気素子と、開閉素子が関連付けられる流体の通路を遮断する第１位置、及び通路が代わりに開き、流体が横断し得る第２位置、という２つの位置の間で可動な開閉素子とを備える。
【０００３】
開閉素子は、バネにより、その２つの位置のうち１つに駆動され、磁気素子により、この位置から他の位置へと移動され得る。いわゆるノーマルオープン弁において、通路を開く位置は、バネにより制御され、対応する閉位置は代わりに、磁気素子を通してソレノイドにより制御される。代わりに、いわゆるノーマルクローズ弁において、閉位置はバネにより、開位置はソレノイドにより、制御される。上記の複数のバルブは特に、バルブの比較的高動作スピードが要求されている複数の用途において幅広く用いられている。ソレノイドバルブは、例えば、内燃機関エンジンの燃料注入システムにおいて、又は他には、例えば、本出願人により開発されたユニエア（ＵＮＩＡＩＲ）システムなど、エンジンバルブの可変的な作動用のシステムのいくつかのために、一般に用いられている。明確に理解され得るように、これらの用途において、ソレノイドバルブは、毎秒１００回までさえも駆動され得る。
【０００４】
これらの用途においてよく感じられている問題が、開閉素子が自体を、示されている２つの移動終了位置にセットする時間を精確に制御する可能性により表される。この点について、本出願人の名により出願された欧州特許出願番号第１５３３５０６Ａ２号及び欧州特許出願番号第２０７２７９１Ａ１号の２つの特許出願はここで、引用されている。欧州特許出願番号第１５３３５０６Ａ２号は、ソレノイドの脱励磁段階の間において開閉素子の移動終了の瞬間を決定する方法に関する。欧州特許出願番号第２０７２７９１Ａ１号は、代わりに、ソレノイドの励磁段階の間において開閉素子の移動終了の瞬間を決定する方法に関する。本説明において、ソレノイドの励磁段階の「移動終了位置」とは、バルブの可動な磁気素子上で作動する、外部電気供給ネットワークにより供給される場合にソレノイドにより生成される電磁力の結果として、開閉素子が到達する移動終了位置を意味することが、留意されるべきである。代わりに、ソレノイドの脱励磁段階の「移動終了位置」とは、バネの動作の結果として、開閉素子が到達する移動終了位置を意味する。ここで、具体的にソレノイドの脱励磁段階に関連して、この段階において、開閉素子は、バネによる一般に衝動型の動作の対象であり、このことは、それによって生じた弾性力が磁気素子上で作動する磁力を超えるとすぐに動作開始することが、考慮されるべきである。バネの弾性力は、開閉素子及び／又はそれに関連付けられる磁気素子の振動力学を決定し、最終的に減衰される前に与えられた時間の経過を要求する。ドイツ特許出願番号第１０２００６０４３６７７Ａ１号は、上述の問題について、開閉素子の戻り運動を抑制する機能を有する電流で脱励磁段階の間においてソレノイドを駆動する段階であって、これにより、この位置に安定して到達する前にその振動の数及び程度を制限する、段階を備える解決手段を用いて対処している。
【発明の概要】
【０００５】
本発明の目的
本発明の目的は、特にソレノイドの脱励磁段階において開閉素子を制御するという観点から、言及されている複数の既知の解決手段を改善することである。
発明の概要
上にて言及されている目的は、請求項１に特定されている複数の特性を有する制御システムを介して実現される。本発明はさらに、請求項１０に記載の制御方法に関する。複数の請求項は、本発明に関して本明細書に提供されている技術的教示の不可欠な部分を形成する。本発明は、上にて言及されている、本出願人の名により出願された欧州特許出願番号第１５３３５０６Ａ２号にて説明された解決手段から開始する。上から分かったように、当該解決手段は、ソレノイドの脱励磁段階の間において、開閉素子の移動終了の瞬間を決定する方法に関する。この解決手段は、ソレノイドを駆動する駆動回路を提供する段階を備え、適切な命令の下で、ソレノイドにおいて、磁気素子における残留磁気の結果として生成される電流信号を得ることを可能にする。当該方法は、この電流信号を解析する段階と、開閉素子が移動終了位置に到達しているという事実を指し示す与えられたパターンを仮定する瞬間を識別する段階とを備える。ここで、本出願人はここで、当該脱励磁段階の間において開閉素子の戻り運動を制御することと、開閉素子が対応する移動終了位置に到着する瞬間を決定することとの二重目的に応じて、同様の種類の電流信号を用いることが可能であることを理解している。以下にて分かるように、当該信号は常に、ソレノイドの外部供給ネットワークとの電気接続が中断された後に、磁気素子における残留磁気の結果として専ら生成されるが、この場合、開閉素子が依然としてソレノイドの励磁段階の移動終了位置にある場合、当該信号は活性化される。それによって得られた信号は、開閉素子の移動に関して抵抗する作用を行うことができる磁力を誘起するなどのようにする。この作用の結果として、開閉素子の移動は従って、その移動を通じて制御される。欧州特許出願番号第１５３３５０６Ａ２号にて提供されている複数の教示によれば、当該電流信号は同時に、少なくとも開閉素子が移動終了位置に到達するまで活性化のままである場合、この位置に到達していると決定するために用いられ得る。
【図面の簡単な説明】
【０００６】
いくつかの実施形態の詳述な説明について、本発明の複数のさらなる特性及び利点は、単に非限定的な例を通して提供されている複数の添付の図面に関連して次の説明から明確に表される。複数の添付の図面は以下の通りである。
【図１】ソレノイドバルブの例を図示する。
【図２】本明細書にて説明されている制御システムの実施形態を図示する。
【図３Ａ】図３Ａ及び図３Ｂは、２つの異なる状態における制御システムの実施形態を図示する。
【図３Ｂ】図３Ａ及び図３Ｂは、２つの異なる状態における制御システムの実施形態を図示する。
【図４】上にて言及されている既知の解決手段において生成される電流信号、及び本発明の実施形態に従って生成される電流信号を表す図である。
【図５】バルブがエンジンバルブの可変的な作動用のロストモーション型の油圧システムに関連付けられる用途に関連して、エンジンバルブの揚力の、及びソレノイドにおいて生成される電流の、バルブにより制御される高圧力チャンバ内の流体圧のプロットを上から下へと示す図を表し、欧州特許出願番号第１５３３５０６Ａ２号の教示に係るバルブ制御モードと、本明細書にて提供されている教示に係る制御モードとの間の比較を可能にする。
【発明を実施するための形態】
【０００７】
複数の実施形態の詳細な理解を提供することを目的とする様々な具体的な詳細が、次の説明にて図示される。複数の実施形態は、その具体的な詳細のうちの１つ又は複数がなくても、あるいは、他の方法、構成要素、又は材料などがあっても得られる。他の場合において、複数の既知の構造、材料、又は操作は、実施形態の様々な態様が不明瞭にならないように、詳細に図示せず又は説明されていない。本明細書にて用いられている複数の参照は、便宜のために提供されているに過ぎず、従って、複数の実施形態の保護領域又は範囲を画定するものではない。図１は、ソレノイドバルブの例の概略図である。これは、第１移動終了位置と第２移動終了位置との間で可動な開閉素子１０５を備え、第１移動終了位置において、開閉素子１０５は、バルブシート１０３に当接し、そこに提供されている通路を閉じ、第２移動終了位置において、開閉素子１０５は、バルブシートに対して開閉素子の反対側に配置されたコントラスト面１０９に当接し、通路が代わりに開いている。バルブは、開閉素子を面１０９に対して押すように設計されるバネ１０７を備える。開閉素子の反対側において、バルブは、磁気コア１１２により搬送される押し素子１１３を備える。磁気コアは順番に、バネ１０７により開閉素子１０５に対して行う作用と反対する方向において、押し込む作用を行うバネ１１４により係合される。
【０００８】
押し素子１１３が開閉素子１０５を、開閉素子１０５が面１０９に当接する位置からバルブシート１０３に当接する反対位置に押すことを可能にする方向において、ソレノイド（図示せず）は、磁気コア１１２の周りに配置され、コアを移動するために予め配置され、その結果、押し素子１１３が磁気コア１１２に関連付けられる。ソレノイドが脱励磁された場合、バネ１０７は再び、開閉素子を面１０９に押す。
【０００９】
代わりに、押し素子１１３及び磁気コア１１２は、それらの運動エネルギの結果として、移動し続けるが、やがては、バネ１１４により行われた作用の下、開閉素子１０５に戻される。はじめに述べられたように、バネ１１４及び１０７により誘起された振動を通して、押し素子１１３が、言及された移動終了位置に移動する前の整定時間が存在する。ここで、本明細書にて説明されている制御システムに関連して、このシステムは、例えば、図１に図示されたちょうど説明されている種類のソレノイドバルブなどのソレノイドバルブを制御する機能を有する。以下にて分かるように、本明細書にて説明されているシステムは、ソレノイドの脱励磁段階の間において開閉素子の戻り運動の特定の制御を想定することを特徴とする。本明細書にて説明されているシステムの実施形態が図２にて概略的に図示されている。概して、このシステムは、供給ノードＶＡとグランドノードＶＭとの間において外部供給ネットワークに接続され、ソレノイドバルブのソレノイド１００を接続する駆動回路１０とを備える。
【００１０】
制御ユニット２０は、駆動回路１０を制御するよう構成される。以下にて明らかになるように、駆動回路は、複数の異なる構成を提示してよい。図２に図示されている実施形態において、この回路は、供給ノードＶＡとソレノイド１００との間で電流の通過を制御するように設計される第１ＭＯＳＦＥＴ  １２と、代わりに、ソレノイド１００とグランドノードＶＭとの間で電流の通過を制御するように設計される第２ＭＯＳＦＥＴ  １４とを含む。
【００１１】
第３ＭＯＳＦＥＴ  １６は、グランドノードＶＭに向かう残りの電流の再循環を可能にし、これは特にトランジスタ１２に関して完全に反対に駆動される。ソレノイド１００に動作可能に関連付けられるバルブの可動素子を操作するために、例えば、図１に図示されているバルブの場合の押し素子１１３であれば、制御ユニット２０は、複数の適切なガイド信号を介して、トランジスタ１２及び１４を駆動し、これにより、外部ネットワークの供給電圧は、この電流より誘起された電磁力の結果として、可動な磁気素子の移動を活性化することができる電流信号をソレノイドにおいて生成する。
【００１２】
図３Ａは、システムの動作のこの第１条件を図示する。ソレノイドバルブの活性化のサイクル全体の間に、ソレノイドにおいて生成された電流のプロットの例が図４にて図示されている。ソレノイドの励磁段階は、３つの異なる電流レベルＴ１、Ｔ２、及びＴ３を画定することを特徴とする電流信号Ｔを決定する。第１レベルＴ１は、可動素子の磁化が得られる初期段階に対応する。次のレベルＴ２は、可動素子の変位段階に対応する。第３レベルＴ３は、代わりに、可動素子が移動終了位置に到達した後にその位置に保持される段階に対応する。
【００１３】
当技術分野において既知のように、３つの電流レベルは、ソレノイドが外部供給ネットワークにより供給される、迅速で連続する（マイクロ秒単位の）時間間隔と、代わりに、供給が中断される時間間隔とを交互することによって得られる。ソレノイドの次の脱励磁段階、つまり、ほぼ図４に関連して、第３レベルＴ３の直後に垂直に下がる直線で開始する段階を開始するよう、制御ユニット２０は、トランジスタ１２及び１４を駆動し、これにより、これらは、供給ノードＶＡからソレノイドへの、及び、ソレノイドからグランドノードＶＭへの電流の通過をそれぞれ遮り、それによって、それを通過する電流をゼロに設定する（図４を参照する）。いかなる作用なしで、ソレノイドバルブの磁気素子における残りの磁界は、迅速に消え、わずかな時間の後に、バネの弾性力が自体により、開閉素子の移動を当該脱励磁段階の移動終了位置に駆動し、はじめに言及された振動力学を引き起こす。ここで、本明細書にて説明されているシステムにおいて、制御ユニット２０は、ソレノイドバルブの脱励磁段階の間においてソレノイドにおいて第２電流信号Ｔ'を生成するよう構成される。
【００１４】
図４は、この第２信号のプロファイルの例を図示する。当該信号は、ソレノイドが外部供給ネットワークによりもはや供給されていないソレノイドバルブの動作の条件の下、磁気素子における残留磁気により専ら生成され、ソレノイドバルブの開閉素子が依然としてソレノイドの励磁段階の移動終了位置にあるときから開始して活性化されることを特徴とする。上にて予期されているように、この電流信号はまず第一に、開閉素子を脱励磁段階の移動終了位置に戻す、バネにより行われる作用と反対する作用を行うなどのような可動素子に対する電磁力を誘起する機能を有する。開閉素子が依然として励磁段階の移動終了位置にあるとき、この信号は次に活性化されるので、その反対作用により、可動素子及び開閉素子は、何かの方法で保留され、バネによりこれらに対して行われる衝動作用は、それらの戻り運動の初期段階ですら、それらに完全な影響を与えることができず、これにより、それらの移動は開始した直後から常に制御される。図４から分かり得るように、好ましくは、当該電流信号は、ソレノイドバルブの励磁段階により精確に電流信号Ｔから一時的に分離されるが、いかなる場合においても、開閉素子が依然として励磁段階の移動終了位置にあって後の段階の終了後にまだそこから移動されていないとき、活性化されるべく、電流信号Ｔに十分に近くなければならない。
【００１５】
電流信号Ｔ'の複数の機能に関し、本出願人は、開閉素子が、脱励磁段階の移動終了位置に向かって戻るよう、励磁段階の移動終了位置から移動し始める前に、この信号Ｔ'がすでに、少なくとも電流信号Ｔ３の４０％に等しいレベルに到達している場合、最良のパフォーマンスが得られることを検証していた。そのような電流のレベルは、脱励磁段階の終了位置に向かう可動素子の戻り運動の開始から、可動素子を保持してその加速を実質的に制限する有効な電磁力を誘起するよう実際に示されている。図２に図示されているシステムに関連して、この信号を生成するために、制御ユニット２０は、トランジスタ１２を駆動し、これにより、供給ノードＶＡとソレノイド１００との間の電流の通過を遮り、同時に、トランジスタ１４を駆動し、代わりに、ソレノイド１００とグランドノードＶＭとの間の電流の通過を有効にする。
【００１６】
図３Ｂは、システムの動作のこの条件を図示している。この信号が制御ユニットにより活性化された瞬間は、ソレノイドバルブの動作を校正する段階の間において識別されてよく、一方、ソレノイドバルブの励磁段階の電流信号が完全に消えることを可能にし、他方で、開閉素子が依然として励磁段階の移動終了位置にあるとき、新しい信号が生成されることを可能にするなど、外部供給ネットワークによるソレノイドへの供給を駆動回路が中断する瞬間と、当該信号を活性化する瞬間との間で経過するのに必要な時間を求める。複数の好ましい実施形態において、当該時間は、いかなる場合においても、開閉素子が励磁段階の移動終了位置から移動する前に、電流信号Ｔ'が少なくとも電流信号Ｔ３の４０％に等しいレベルに到達することを可能にするのに十分に短くなければならない。
【００１７】
いくつかの実施形態において、この時間は、たとえゼロであってもよく、これにより、電流信号の実際の中断は、影響を受けない。それによって決定された時間間隔は、システムの電気力学に起因する遅延も明らかに考慮され、これが介入しなければならない時間を命じるために、次に制御ユニットに記録され得る。図２に図示されている駆動回路に関連して、ユニットがソレノイドとノードＶＡ及びＶＭとの間の電流の通過を遮ったときの前の瞬間から、上記の予め設定された時間間隔を経過した後に、ソレノイド１００とグランドノードＶＭとの間の電流の通過を復元するように、制御ユニットが予め決められている。上にて言及されている、電流信号Ｔ'により誘起された、開閉素子の、及び可動な磁気素子の制御された運動はまず第一に、脱励磁段階の間に制御されている流体において圧力降下速度を制限する効果、及び、第二に、開閉素子及び磁気素子が、それらがそれらのそれぞれの移動終了位置に戻るときに受ける衝撃の程度を低減させる効果を有する。図５は、欧州特許出願番号第１５３３５０６Ａ２号の教示に従って実装された制御モードと、ソレノイドバルブがエンジンバルブの可変的な作動用、特に吸い込みバルブの作動用のロストモーション型の油圧システムに関連付けられた用途の構成における本明細書にて説明されているモードとの間の比較を図示する。図５に図示されている、ソレノイドバルブの圧力の比較、及びエンジンバルブの揚力の比較は、本明細書にて説明されている制御モードにおいて、圧力及びエンジン‐バルブ揚力がどうそれほど急激ではなく減少するかを明白に示している。
【００１８】
代わりに、この図に表されている複数の電流信号は、図４に図示されている信号Ｔ３、Ｔ'、及びＴｏｌｄに正確に対応することが留意されるべきである。図５において、本発明に係る制御モードの電流信号Ｔ'は、２つの信号の間の時間における距離がマイクロ秒単位であるとして、単に図の解像度のために、信号Ｔ３からシフトされていない。本出願人が、様々なＮＶＨ（騒音、振動、及びハーシュネス、Ｎｏｉｓｅ，Ｖｉｂｒａｔｉｏｎ，ａｎｄ  Ｈａｒｓｈｎｅｓｓ）試験を行われることによって示すことができたように、上にて示されている効果は両方とも、結果としてのエンジン騒音の減少を伴う油圧部分における圧力振動に加えて、エンジンバルブにおいて生成される振動の相当な減少の実現に貢献する。本出願人は、特に、エンジンバルブを作動する油圧システムにおける圧力降下速度の述べられた減少が、ＮＶＨに関するエンジンの複数の機能の劇的な改善をもたらすことを検証している。
【００１９】
ここで、好ましい実施形態によれば、制御ユニットは、少なくとも開閉素子がその移動終了位置に到達するまで、この信号を活性化のままで維持するよう構成されることが、留意されるべきである。そうすることによって、このイベントで仮定する特性的パターンのおかげで、この信号は、開閉素子がいつ、この位置に到達しているかを決定するために同時に用いられ得る。この点について、可動素子における残留磁気の結果として生成され得る電流の最大レベルに対応するピークＴ１'の後に、当該信号は、開閉素子が当該移動終了位置に到達した瞬間で精確に生成される第２ピークＴ２'をどう有するかは図４から分かり得る。信号のこの作用はすでに、本出願人の名により出願された欧州特許出願番号第１５３３５０６Ａ２号にて説明されおり、特に、これは、この作用の開始を認識して、それによって、開閉素子がその移動終了位置に到達した瞬間を決定するシステムにより用いられ得る具体的なアルゴリズムを提示している。
【００２０】
図４において、線Ｔ'ｏｌｄは、当該既知の解決手段により生成される電流信号を表す。図５に表されている電流信号が、わずかに図４の電流信号と異なり、特に、後者の２つのピークの代わりに、前者は１つのピークのみを有することを留意するのに値する。この形状における差異は単に、ソレノイドへの電力供給の中断後にそれぞれの電流信号が活性化される異なる時間に由来し、精確には、図４の信号が図５の信号より早い時間において活性化される。上記を考えると、本明細書にて説明されているシステムは従って、ソレノイドの脱励磁段階の間において開閉素子の制御された戻り運動を得る可能性と、同時に、この移動が終了した瞬間を決定する可能性とを提供する。前述を考慮すると、ここで、ソレノイドバルブの流体力学的及び機械的作用の安定性の観点で、同時に、行われる制御の精確性及び再現性の観点で、本明細書にて説明されているシステムに由来する複数の利点が明確に表れる。もちろん、本発明の原理を損なうことなく、構造の詳細及び複数の実施形態は、単に非限定的な例を通して本明細書に図示されているものに対して、添付の複数の請求項にて画定されているように、その結果、本発明の範囲から逸脱することなく、顕著にであっても異なってよい。
【００２１】
例えば、システムの駆動回路は、図示されている複数のＭＯＳＦＥＴの代わりに、例えば、バイポーラトランジスタ又はいくつかの他の種類のトランジスタなどの複数の制御信号を介して制御され得る他の種類の電子スイッチを有してよい。
【図１】
2017089890.tif 000003
【図２】
2017089890.tif 000004
【図３Ａ】
2017089890.tif 000005
【図３Ｂ】
2017089890.tif 000006
【図４】
2017089890.tif 000007
【図５】
2017089890.tif 000008
【外国語明細書】
2017089890000001.pdf